(57)【要約】【課題】  カラン部に水垢を付着させにくくしつつも、ミラーの設置面積を大きく採ると共に、すっきりとしたシンプルな外観が現出できる洗面化粧台を提供する。【解決手段】  洗面ボウル４を備えた洗面台２の後部に洗面ボウル４での水跳ねを受けるための立ち上がり壁部５を立設し、前面にミラー８を備えたミラーキャビネット３を立ち上がり壁部５の上に載設して成る洗面化粧台１である。立ち上がり壁部５の幅方向の一部の上方にカラン部６を突設する。ミラーキャビネット３の下部に前方及び下方に開口する凹所７を形成する。カラン部６を収めた凹所７の前方をミラー８で覆う。【選択図】図１
2008237602.tif 000002
【特許請求の範囲】
【請求項１】
洗面ボウルを備えた洗面台の後部に洗面ボウルでの水跳ねを受けるための立ち上がり壁部を立設し、前面にミラーを備えたミラーキャビネットを立ち上がり壁部の上に載設して成る洗面化粧台において、立ち上がり壁部の幅方向の一部の上方にカラン部を突設し、ミラーキャビネットの下部に前方及び下方に開口する凹所を形成し、カラン部を収めた凹所の前方をミラーで覆って成ることを特徴とする洗面化粧台。
【請求項２】
カラン部に設けた吐水操作部をミラーの下端よりも下方に位置させたことを特徴とする請求項１記載の洗面化粧台。
【発明の詳細な説明】
【技術分野】
【０００１】
本発明は、洗面化粧台に関するものである。
【背景技術】
【０００２】
従来から、洗面ボウル４を備えた洗面台２の後部に洗面ボウル４での水跳ねを受けるための立ち上がり壁部５を立設し、前面にミラー８を備えたミラーキャビネット３を立ち上がり壁部５の上に載設して構成された洗面化粧台１にあっては、図３のようにカラン部６は洗面台２の上面の洗面ボウル４の後縁部分や立ち上がり壁部５に設けられているものが多い。
【０００３】
ここで、カラン部６には吐水管１０や吐水を操作する吐水操作部９があり、洗面台２の上面に比べて比較的凹凸のある形状となっており、しかして、洗面ボウル４での水跳ねなどによりカラン部６に水が付着すると、そのまま溜まって水垢が付いたりして洗面化粧台１の外観を悪化させ易いものであった。
【０００４】
そこで、近年では、図４のようにカラン部６を水跳ねの届かない立ち上がり壁部５の上方位置に設ける洗面化粧台１も見受けられるようになったが（たとえば特許文献１参照）、立ち上がり壁部５の上方位置に設けたカラン部６はミラーキャビネット３の内部に引き込むように配置されるのであり、したがって、このような洗面化粧台１では、カラン部６を避けるためにミラーキャビネット３のミラー８の設置面積が小さくならざるを得ず、またカラン部６がミラーキャビネット３内に引き込まれたような煩雑な外観が現出されることとなって、すっきりとしたシンプルな外観を得ることができないものとなっていた。
【特許文献１】特開平１０−１４７９４号公報
【発明の開示】
【発明が解決しようとする課題】
【０００５】
本発明は上記の点に鑑みてなされたものであり、その目的とするところは、カラン部に水垢を付着させにくくしつつも、ミラーの設置面積を大きく採ると共に、すっきりとしたシンプルな外観が現出できる洗面化粧台を提供することを課題とするものである。
【課題を解決するための手段】
【０００６】
上記課題を解決するために請求項１に係る洗面化粧台にあっては、洗面ボウル４を備えた洗面台２の後部に洗面ボウル４での水跳ねを受けるための立ち上がり壁部５を立設し、前面にミラー８を備えたミラーキャビネット３を立ち上がり壁部５の上に載設して成る洗面化粧台１において、立ち上がり壁部５の幅方向の一部の上方にカラン部６を突設し、ミラーキャビネット３の下部に前方及び下方に開口する凹所７を形成し、カラン部６を収めた凹所７の前方をミラー８で覆って成ることを特徴とする。これによると、ミラーキャビネット３の凹所７内に配置したカラン部６は立ち上がり壁部５よりも上方に位置しているので、比較的凹凸があって水垢などの付き易いカラン部６に洗面ボウル４での水跳ねによる水垢の付着が生じさせにくくできながら、このカラン部６はミラーキャビネット３の前面に設けたミラー８で隠匿させたので、ミラー８の設置面積を大きく採ることができると共に、カラン部６がミラーキャビネット３内に引き込まれたような煩雑な外観を現出させないようにできる。
【０００７】
また、請求項２に係る洗面化粧台にあっては、請求項１において、カラン部６に設けた吐水操作部９をミラー８の下端よりも下方に位置させたことを特徴とする。これによると、カラン部６の吐水操作部９はミラー８で隠匿されず、洗面化粧台１の使用者によって目視して操作することができ、洗面化粧台１に良好な使用性を備えることができる。
【発明の効果】
【０００８】
本発明にあっては、カラン部に水垢を付着させにくくしつつも、ミラーの設置面積を大きく採ると共に、洗面化粧台にすっきりとしたシンプルな外観を現出できる、という利点を有する。
【発明を実施するための最良の形態】
【０００９】
以下、本発明を添付図面に示す実施形態に基いて説明する。
【００１０】
本例の洗面化粧台１は、図１のように、洗面ボウル４を備えた洗面台２の後部に洗面ボウル４での水跳ねを受けるための立ち上がり壁部５を立設し、前面にミラー８を備えたミラーキャビネット３を立ち上がり壁部５の上に載設して構成されている。
【００１１】
ここで、本例の洗面ボウル４は樹脂製であり、ボウル部４ａの後部から鉛直板状の立ち上がり壁部５を一体に上方に延出してあり、ボウル部４ａの後部の幅方向の中央部ではボウル部４ａの底面から立ち上がる側面が立ち上がり壁部５に連続して繋がるようにされ、ボウル部４ａの後部の幅方向の両端部ではボウル部４ａの上面に略届くような台部４ｂが形成されている。なお、本例の立ち上がり壁部５の上端面は水平面に形成されている。
【００１２】
また、ミラーキャビネット３は、前方に開口した函状のキャビネット部１１とキャビネット部１１の前方開口を塞ぐように配置される扉１２とを有する。キャビネット部１１は内部空間が縦リブ１４や棚となる横リブ１５が格子状に形成されて複数の収納部１３に区分けされている。扉１２はキャビネット部１１の幅方向に並んで複数（本例では３つ）設けられており、各扉１２の前面には略全面に亙ってミラー８がそれぞれ貼着されていてミラー８付きの扉１２にされている。また、各扉１２の下端はキャビネット部１１の下端と略同位置になるようにされ、各扉１２の幅方向の一端がキャビネット部１１に枢支されて収納部１３を開閉するように回動自在にされ、両側の扉１２を前方に回動させたときには、各扉１２のミラー８が洗面化粧台１の幅方向の中央前方に立つ使用者に向くような３面鏡状にできるようにされている。キャビネット部１１の上端には洗面化粧台１の前方を照らすことのできる照明装置１７が載設される。ここで、本例のキャビネット部１１の下端における幅方向の中央には前方及び下方に開口せる切欠き状の凹所７が形成されている。この凹所７は縦リブ１４や横リブ１５で囲繞されて正面視矩形状に形成されており、その前方開口は上記ミラー８付きの扉１２の下端部で開閉されるようになっている。
【００１３】
また、カラン部６は湯水混合栓（図示せず）を収めた矩形函状の主体部１６を有し、湯水混合栓に連結された吐水管１０やレバー９ａで構成した吐水操作部９が主体部１６の下面から突出されている。吐水管１０は斜め下前方に向けて突出していて先端の吐水口からボウル部４ａの中央域に向けて洗面用の水を吐出可能にしてある。このカラン部６は、洗面化粧台１を沿わせる建物壁の壁内や立ち上がり壁部５の内部に配管される給湯管や給水管に湯水混合栓が接続されると共に、立ち上がり壁部５の幅方向の一部の上端面にカラン部６が載置された状態で配置される。本例では立ち上がり壁部５の幅方向の中央部分にカラン部６が上方に突設されたように配置されている。
【００１４】
上記のように立ち上がり壁部５の上にはカラン部６やミラーキャビネット３が載設されるのであるが、カラン部６はキャビネット部１１の凹所７に収納される。詳しくは、本例のカラン部６はその主体部１６が凹所７に嵌るように収納される。また、凹所７は前方に開口して奥行きが大きくされた空間であって、この凹所７の大きい奥行きを利用し、凹部７に収納された主体部１６の前面は、扉１２の裏面が当接するキャビネット部１１の前面よりも後方に引き込むようにされている。
【００１５】
このように本例の洗面化粧台１では、カラン部６は水跳ね高さを想定して形成される立ち上がり壁部５よりも上方に位置しているので、比較的凹凸があって水垢などの付き易いカラン部６には洗面ボウル４での水跳ねが届かず、水垢の付着が生じにくくされている。また、ミラー８付きの扉１２でミラーキャビネット３の前方開口を閉じた状態では図２のように、ミラーキャビネット３の凹所７内に収納されたカラン部６がミラーキャビネット３の前面に設けたミラー８付きの扉１２で隠匿されるのであり、カラン部６を避けずにミラー８の設置面積を大きく採ることができると共に、カラン部６がミラーキャビネット３内に引き込まれたような煩雑な外観が現出されないようにされている。すなわち、本例の洗面化粧台１では、カラン部６に水垢を付着させにくくしつつも、ミラー８の設置面積を大きく採ると共に、すっきりとしたシンプルな外観が現出可能になっている。
【００１６】
なお、吐水管１０や吐水操作杆はミラー８付きの扉１２の下端よりも下方に突出されるようになっており、つまり図２のようにミラー８付きの扉１２でミラーキャビネット３の前方開口を閉じた状態では、カラン部６の吐水管１０や吐水操作部９はミラー８で隠匿されないのであり、洗面化粧台１の使用者が目視して手を伸ばして操作等、使用することができるのであり、洗面化粧台１に良好な使い勝手が確保されている。
【００１７】
なお、上記実施形態ではカラン部６はミラーキャビネット３や洗面台２とは別体のユニット状のものであるが、立ち上がり壁部５と一体に形成してもよい。また、配置強度等の必要に応じて凹所７に収納したカラン部６は立ち上がり壁部５やミラーキャビネット３に固定してもよい。また、上記実施形態では立ち上がり壁部５は樹脂製の洗面ボウル４と一体に形成されているが、別体の壁パネル状のもので構成させてもよい。
【００１８】
また、上記実施形態ではカラン部６の吐水管１０はミラー８付きの扉１２で隠匿されずに使用者に目視可能にされているが、たとえば吐水管１０を主体部１６に内装したりして、吐水管１０の前方にミラー８付きの扉１２を位置させて吐水管１０を完全に隠匿するようにしてもよい。この場合には、洗面化粧台１が、あたかも洗面機能の無い化粧台（家具）のような外観を現出することとなり、よりすっきりとしてシンプルな高級感の有る良好な外観を得ることができる。
【００１９】
また、上記実施形態ではカラン部６の吐水操作部９はレバー９ａで構成しているが、これ以外の手段でも構成できる。図示はしないが、たとえば吐水操作部９としては、使用者の手により操作される吐水操作用のボタンや、検知範囲に差し出された使用者の手を検知して吐水管１０から水を吐出させるようにする人体検知センサーを用いたものであってもよい。吐水操作部９がミラー８により隠匿されずに使用者が目視して操作できれば、上記実施形態の洗面化粧台１のように良好な使い勝手を備えることができる。
【図面の簡単な説明】
【００２０】
【図１】本発明の実施の形態の例の洗面化粧台の分解斜視図である。
【図２】同上の洗面化粧台の斜視図である。
【図３】（ａ）（ｂ）は従来技術の例の洗面化粧台の斜視図である。
【図４】従来技術の他例の洗面化粧台の斜視図である。
【符号の説明】
【００２１】
１  洗面化粧台
２  洗面台
３  ミラーキャビネット
４  洗面ボウル
５  立ち上がり壁部
６  カラン部
７  凹所
８  ミラー
９  吐水操作部
１０  吐水管
１１  キャビネット部
１２  扉
【図１】
2008237602.tif 000003
【図２】
2008237602.tif 000004
【図３】
2008237602.tif 000005
【図４】
2008237602.tif 000006